(57)【要約】【課題】変形し難い壁板支持具及びこれを備えた壁構造を提供する。【解決手段】壁板支持具２は、固定部２０、支持部２１、裏面接触部２２及び壁下地接触部２３を備えている。固定部２０は、壁下地３に固定される。支持部２１は、固定部２０の下方に設けられ、壁板６を下方から支持する。裏面接触部２２は、固定部２０よりも下方に設けられ、壁板６の裏面に接する。壁下地接触部２３は、裏面接触部２２よりも下方に設けられ、壁下地３に接する。【選択図】図１
2020117963.tif 000002
【特許請求の範囲】
【請求項１】
壁下地に固定される固定部と、
前記固定部の下方に設けられ、壁板を下方から支持する支持部とを備えた壁板支持具であって、
前記固定部と前記支持部との間には、
前記固定部よりも下方に設けられ、前記壁板の裏面に接する裏面接触部と、
前記裏面接触部よりも下方に設けられ、前記壁下地に接する壁下地接触部とを備えた、
壁板支持具。
【請求項２】
請求項１に記載の壁板支持具であって、
前記裏面接触部が前記壁板の裏面に線接触する、
壁板支持具。
【請求項３】
請求項１又は２に記載の壁板支持具であって、
前記壁下地接触部が前記壁下地に面接触する、
壁板支持具。
【請求項４】
壁下地と、
請求項１〜３のいずれか１項に記載の壁板支持具と、
壁板とを含み、
前記固定部が前記壁下地に固定され、
前記支持部が前記壁板を下方から支持し、
前記裏面接触部が前記壁板の裏面に接し、
前記壁下地接触部が前記壁下地に接する、
壁構造。
【発明の詳細な説明】
【技術分野】
【０００１】
本発明は、壁板支持具、及び壁構造に関し、詳しくは、壁下地に固定されて壁板を支持する壁板支持具、及びこの壁板支持具を含む壁構造に関する。
【背景技術】
【０００２】
特許文献１には、外壁板を支持する端面取付具（特許文献１の図１９参照）が開示されている。この端面取付具は、端面固定部と端面係止部とを備えている。端面固定部は、窓枠回りやベランダの手摺壁部分等において、胴縁及び柱材で構成される構造材に対してねじで固定される。端面係止部は、端面固定部よりも下方に設けられ、上方に向かって突出している。端面取付具は、端面係止部が外壁板の下端面に形成された溝部に挿入された状態で、外壁板を支持する。端面取付具は、端面固定部と端面係止部との間に、当接部を更に備えている。当接部は、端面固定部よりも屋外側に位置し、外壁板の裏面に当接している。
【先行技術文献】
【特許文献】
【０００３】
【特許文献１】特開２０１８−６６１５１号公報
【発明の概要】
【発明が解決しようとする課題】
【０００４】
ところで、上述した端面取付具にあっては、端面係止部及び当接部の各々が、ねじで固定される端面固定部に対して離れて位置している。このため、例えば、強い風が吹く等して外壁板から端面係止部や当接部に屋外側に向かう力が加わったとき、端面取付具には端面固定部を中心としたモーメントが生じ、これにより端面取付具は、端面固定部よりも下側の部分が屋外側に移動するように変形する可能性がある。
【０００５】
また、例えば、端面取付具と、この端面取付具の下方に位置する窓枠や見切り材等の部材との間にシーリングが設けられる場合には、端面取付具にシーリングが接することで、端面取付具の変形は幾分抑制される。しかし、建物におけるバルコニー等のオーバーハング部にあっては、上述したシーリングが設けられない場合があり、この場合は、上述した端面取付具の変形が生じやすくなる。
【０００６】
本開示は上記事由に鑑みてなされており、風が吹く等して外壁板から力が加わっても、変形し難い壁板支持具及びこれを備えた壁構造を提供することを目的とする。
【課題を解決するための手段】
【０００７】
本発明の一態様に係る壁板支持具は、以下の構成を有している。壁板支持具は、固定部と支持部とを備えている。前記固定部は、壁下地に固定される。前記支持部は、前記固定部の下方に設けられ、壁板を下方から支持する。前記壁板支持具は、前記固定部と前記支持部との間に、裏面接触部と壁下地接触部とを備えている。前記裏面接触部は、前記固定部よりも下方に設けられ、前記壁板の裏面に接する。前記壁下地接触部は、前記裏面接触部よりも下方に設けられ、前記壁下地に接する。
【０００８】
また、本発明の一態様に係る壁構造は、以下の構成を有している。壁構造は、壁下地と、前記壁板支持具と、壁板とを含んでいる。前記固定部が前記壁下地に固定される。前記支持部が前記壁板を下方から支持する。前記裏面接触部が前記壁板の裏面に接する。前記壁下地接触部が前記壁下地に接する。
【発明の効果】
【０００９】
前記一態様に係る壁板支持具及び壁構造では、壁下地接触部が、固定部及び裏面接触部よりも下方において壁下地の裏面に接する。このため、壁板から支持部又は裏面接触部に加わった力が、壁下地接触部を介して壁下地で受けられるようになる。したがって、風が吹く等して壁板に力が加わっても、壁板支持具が変形し難い。
【図面の簡単な説明】
【００１０】
【図１】図１は、本発明の一実施形態に係る壁構造の縦断面図である。
【図２】図２は、図１のＸに示した領域の拡大図である。
【図３】図３は、同上の壁構造に含まれる壁板支持具の正面図である。
【図４】図４は、図３のＹ−Ｙ線断面図である。
【図５】図５Ａは、図３のＺに示した領域の拡大図である。図５Ｂは、図５Ａの平面図である。
【発明を実施するための形態】
【００１１】
図１及び図２に本実施形態の壁板支持具２を用いた壁構造１を示す。本実施形態の壁構造１は、建物の外側に向かって部分的に張り出したオーバーハング部となるバルコニーの手すり壁を構成する。以下、屋内側から屋外側（壁板６の裏面側から表面側）に向かう方向を前方とし、かつ、上下方向に見て前後方向と直交する方向を左右方向として、壁構造１の各要素について説明する。
【００１２】
本実施形態の壁構造１は、壁下地３、見切り材４、軒天井材５、壁板支持具２及び壁板６を含んでいる。壁下地３は、構造材３０、防水紙３１及び複数の縦胴縁３２を備えている。構造材３０は、例えば、前後方向に見て枠状に形成されており、その下端部の位置に、左右方向に延びた横架材３３を有している。
【００１３】
横架材３３の下端部の前側には、見切り材４が位置している。見切り材４は、左右方向に直線状に延びた長尺部材である。本実施形態の見切り材４は、水切りであり、水受部４０と固定部４１とを有している。
【００１４】
水受部４０の上面は、見切り材４の上面を構成しており、前側に近い部分ほど下方に位置するように傾斜している。固定部４１は、水受部４０の後端部から上方に向かって突出している。固定部４１は、横架材３３の前面（壁板６側の面）に沿っている。固定部４１における左右方向の複数箇所は、複数の固着具１１によってそれぞれ横架材３３に固定されている。各固着具１１は、例えば、釘、ねじ等である。
【００１５】
横架材３３の下方には、軒天井材５が位置している。軒天井材５は、複数の固着具（図示せず）によって、横架材３３に固定されている。これら複数の固着具の各々は、例えば、釘、ねじ等である。
【００１６】
本実施形態の壁下地３は、防水両面テープ１５を更に含んでいる。防水両面テープ１５は、見切り材４の縦片４２の前面と、これよりも上方の横架材３３の前面とに跨って貼り付けられている。横架材３３の前側には、防水両面テープ１５を介して防水紙３１が貼り付けられている。見切り材４の縦片４２及び横架材３３の前方には、防水両面テープ１５及び防水紙３１を介して複数の縦胴縁３２が位置している。複数の縦胴縁３２は、左右方向に間隔をあけて並んでいる、各縦胴縁３２は、釘、ねじ等の固着具（図示せず）によって横架材３３に固定されている。
【００１７】
複数の縦胴縁３２の下端部の前方には、壁板６の下端部を下方から支持する壁板支持具２が位置している。壁板支持具２は、図３に示すように、左右方向に直線状に延びた長尺部材である。
【００１８】
壁板支持具２は、例えば、金属製であり、金属板を曲げ加工することによって形成される。図３〜図５Ｂに示すように、壁板支持具２は、固定部２０、裏面接触部２２、壁下地接触部２３及び支持部２１を備えている。固定部２０、裏面接触部２２、壁下地接触部２３及び支持部２１は、上からこの順序で連続しており、固定部２０と支持部２１とは、裏面接触部２２及び壁下地接触部２３を介してつながっている。すなわち、壁板支持具２は、固定部２０と支持部２１との間に、裏面接触部２２及び壁下地接触部２３を備えている。
【００１９】
固定部２０は、鉛直な平板状に形成されている。固定部２０は、複数の固着具用孔２４を有している。複数の固着具用孔２４は、左右方向に並んでいる。各固着具用孔２４は、固定部２０を前後方向に貫通している。
【００２０】
図２に示すように、固定部２０は、複数の縦胴縁３２の前面に沿っている。固定部２０の複数の固着具用孔２４には、複数の固着具１７がそれぞれ通っている。各固着具１７は、例えば、釘、ねじ等である。各固着具１７は、対応する縦胴縁３２と横架材３３とに打ち込まれている。これにより、壁板支持具２は、複数の固着具１７によって壁下地３に固定されている。
【００２１】
図４に示すように、裏面接触部２２は、固定部２０の下端に連続しており、固定部２０よりも下方に設けられている。裏面接触部２２は、固定部２０における左右方向の全長にわたって形成されている。本実施形態の裏面接触部２２は、前側の端部を頂部２７とした山形に屈曲しており、左右方向と直交する断面の形状が、く字状である。
【００２２】
具体的に裏面接触部２２は、固定部２０の下端から前斜め下方に向かって延びた上側片部２５と、上側片部２５の下端から後斜め下方に向かって延びた下側片部２６とで構成されている。上側片部２５と下側片部２６との境界部分が、頂部２７を構成している。図２に示すように、裏面接触部２２の頂部２７は、固定部２０よりも下方位置において、壁板６の裏面に対して左右方向に延びた直線状に線接触しており、壁板６を後側（壁板６の裏面側）から支持している。ここで、「線接触」とは、断面弧状の曲面又は角が、平面に対して線状に接触した状態をいう。
【００２３】
図４に示すように、壁下地接触部２３は、裏面接触部２２の下端（すなわち、下側片部２６の下端）に連続しており、裏面接触部２２よりも下方に設けられている。壁下地接触部２３は、裏面接触部２２における左右方向の全長にわたって形成されている。壁下地接触部２３は、鉛直な平板状に形成されており、下側片部２６の下端から下方に向かって延びている。図２に示すように、壁下地接触部２３は、裏面接触部２２よりも下方位置で、かつ、壁板６の裏面側において、複数の縦胴縁３２の前面（壁板６側の面）に面接触しており、複数の縦胴縁３２によって後方（壁板６とは反対側）から支持されている。ここで、「面接触」とは、互いに平行又は互いに平行とみなせる程度の面同士が、面状に接触した状態をいう。本実施形態の壁下地接触部２３は、その下部が複数の縦胴縁３２よりも下方に突出している。
【００２４】
図４に示すように、支持部２１は、壁下地接触部２３の下端に連続しており、固定部２０の下方に設けられている。支持部２１は、壁下地接触部２３の下端から前側に向かって突出している。支持部２１は、図２に示すように、裏面接触部２２が壁板６に接した箇所よりも下方位置において、壁板６の下端部を下方から支持している。
【００２５】
本実施形態の支持部２１は、下片部２８と複数の係止片部２９とで構成されている。下片部２８は、水平な平板状に形成されており、壁下地接触部２３の下端から前方に向かって延びている。下片部２８は、壁下地接触部２３における左右方向の全長にわたって形成されている。図２に示すように、下片部２８は、見切り材４の水受部４０から上方に離れて位置している。
【００２６】
図３に示すように、複数の係止片部２９は、左右方向に間隔をあけて並んでいる。各係止片部２９は、図４に示すように、下片部２８の前側（壁下地３とは反対側）の端から上方に向かって突出している。本実施形態の各係止片部２９は、上端部以外の他の部分が鉛直な平板状に形成されており、上端部が上端に近い部分ほど前方に位置するように傾斜した板状に形成されている。
【００２７】
図２に示すように、壁板６は、複数の縦胴縁３２の前面に沿って配置されている。すなわち、壁板６と横架材３３との間には、複数の縦胴縁３２が位置しており、壁板６は、横架材３３から前方に離れている。壁板６は、手すり壁（すなわち、本実施形態の壁構造を有する壁）の一部を構成している。具体的に手すり壁は、上下方向及び左右方向に並んだ複数の壁板で構成されている。これら複数の壁板のうち、最も下方の位置に配置された壁板が、壁板６である。すなわち、本実施形態の壁板支持具２は、上下方向に並んだ壁板のうち、最も下方に位置する壁板６を支持するスターターである。
【００２８】
壁板６は、例えば、セメントを主成分とする成形材料の硬化物である窯業系サイディングである。壁板６は、前後方向に見て左右方向に長い矩形の板状に形成されている。壁板６の下端面は、水平な平面である。本実施形態の壁板６は、バルコニー以外の箇所で用いられる外壁材の下端部を切除することによって形成されており、壁板６の下端面は、切断面である。壁板６は、例えば、前方から見たときに、その表面の柄が、バルコニーの直下に位置する外壁材の表面の柄と連続した外観となるように下端部が切除される。
【００２９】
壁板６の下端面には、複数の係止溝部６０が形成されている。複数の係止溝部６０は、壁板支持具２の複数の係止片部２９に対応する箇所にそれぞれ形成されており、左右方向に間隔をあけて並んでいる。各係止溝部６０は、左右方向に延びた溝であり、下方に向かって開口している。各係止片部２９は、例えば、電気丸のこ等を用いて、壁板６の下端部を切削することによって正面視半円状に形成される。
【００３０】
壁板６の各係止溝部６０には、壁板支持具２の対応する係止片部２９が差し込まれている。これにより、壁板６の各係止片部２９は、壁板６の下端部に係止されており、壁板６の下端部が前後方向及び左右方向に移動することが規制されている。上述したように、各係止片部２９は、先端部（上端部）が上端に近い部分ほど前方に位置するように傾斜している。このため、各係止片部２９は対応する係止溝部６０に対して引っ掛かりやすくなり、これにより、壁板６が各係止片部２９から外れ難くなっている。また、壁板６を移動して各係止溝部６０に対応する係止片部２９を差し込む際には、各係止片部２９の上端部がガイドとなり、各係止片部２９を対応する係止溝部６０に差し込みやすくなる。
【００３１】
壁板６の下端面において係止溝部６０よりも後方に位置する部分は、下片部２８の上面に接している。これにより、壁板６は下片部２８によって下方から支持されている。また、壁板６の上部は、例えば、留め具、ねじ、釘等の固着具（図示せず）によって、複数の縦胴縁３２に固定されている。
【００３２】
壁板６は、見切り材４の水受部４０から上方に離れて位置している。水受部４０の前側の端部は、壁板６の表面よりも前方に突出している。壁板６の表面を伝って下方に流れ落ちた雨水は、水受部４０の上面で受けられた後、水受部４０の傾斜した上面に沿って前方に流れ、この後、水受部４０の前方に流れ落ちる。
【００３３】
本実施形態の壁板支持具２を用いて壁下地３に壁板６を施工する場合、作業者は例えば以下に示す作業を行う。まず、壁板支持具２の固定部２０を複数の縦胴縁３２の前面に沿って配置する。続いて、複数の固着具１７の各々を固定部２０の対応する固着具用孔２４に通して、各固着具１７を対応する縦胴縁３２及び横架材３３に打ち込む。これにより、壁板支持具２が壁下地３に取り付けられる。そして、予め壁板６を壁下地３の上下幅に合わせてカットして下端面に丸のこ等で複数の係止溝部６０を形成しておき、この係止溝部６０が形成された壁板６を移動して、壁板６の複数の係止溝部６０の各々に、壁板支持具２の対応する係止片部２９を差し込み、壁板６を下片部２８上に載せる。次に壁板６の上部を留め具、ねじ、釘等によって、複数の縦胴縁３２に固定する。これにより、壁板６の施工が完了する。
【００３４】
ところで、例えば、風が吹いて壁板６の前側に負圧が生じた場合、壁板６が前側に動き、壁板６が前後方向にがたつく可能性がある。また、風が吹くことで、壁板６が後側に押される場合もある。ここで、本実施形態の壁板支持具２は、裏面接触部２２が壁板６の裏面に接しているため、壁板６は壁板支持具２に対して後方に動き難くなっている。
【００３５】
また、壁板６には、風が吹いたときに厚み方向及び上下方向の力が加わる場合がある。また、本実施形態のように、壁板６と見切り材４との間に壁板６の裏面側に通じる通気用の隙間９２が形成される場合、風が隙間９２を通過することでも、壁板６には力が加わる場合がある。このように壁板６に力が加わった場合、壁板６から支持部２１又は裏面接触部２２を介して壁板支持具２に力が伝わり、壁板支持具２に、固定部２０において固着具１７で固定された部分を中心としたモーメントが生じる可能性がある。また、本実施形態のように、壁板支持具２と見切り材４との間に隙間９２が形成されてシーリング等で封止されていない場合、壁板支持具２はシーリングに接しないため、壁板支持具２は、固定部２０よりも下方の部分が変形するおそれがある。
【００３６】
本実施形態の壁板支持具２は、固定部２０及び裏面接触部２２よりも下方に設けられた壁下地接触部２３が、壁下地３に接する。すなわち、壁板支持具２は、固定部２０が裏面接触部２２よりも上方において壁下地３に接することに加えて、壁下地接触部２３が裏面接触部２２よりも下方において壁下地３に接する。このため、壁板６から壁板支持具２に力が加わったときに壁下地接触部２３を介して壁下地３で受けられるようになり、特にこの場合、壁板支持具２は前述したモーメントによって変形し難くなる。
【００３７】
また、本実施形態の裏面接触部２２は、壁板６の裏面に線接触する。このため、壁板支持具２において固着具１７により壁下地３に固定された部分から、支持部２１までの上下方向における距離を、裏面接触部２２が壁板６の裏面に面接触する場合と比較して短くすることができる。したがって、壁板６から支持部２１に力が加わったときに、壁板支持具２において壁下地３に固定された部分を中心とした力のモーメントが抑制され、この点でも壁板支持具２は変形し難い。
【００３８】
また、本実施形態の壁板支持具２は、図２に示すように、裏面接触部２２の頂部２７から係止片部２９の上端までの上下寸法Ｄ１が、係止片部２９の上下長さＤ２よりも大きい。このため、例えば風が吹いて壁板６が前側に動く等した場合に、係止片部２９から、壁板６における係止溝部６０の後方の部分６１に加わる力が小さくなり、部分６１が破損し難くなり、また、係止片部２９が変形し難くなる。
【００３９】
また、本実施形態の壁板支持具２は、裏面接触部２２の頂部２７から係止片部２９までの前後寸法Ｄ３が、壁下地接触部２３から裏面接触部２２の頂部２７までの前後寸法Ｄ４よりも大きい。このため、例えば風が吹いて壁板６が前側に動く等した場合に、係止片部２９から、壁板６における係止溝部６０の後方の部分６１に加わる力が小さくなり、この場合も部分６１が破損し難くなる。
【００４０】
また、例えば、壁板６の裏面に裏面接触部２２を面接触させるには、裏面接触部２２を断面コ字状にする等、裏面接触部２２に上下２か所の屈曲部分が必要となる。しかし、本実施形態の裏面接触部２２は、山形の頂部２７の１か所にだけ屈曲部分を形成するだけでよく、裏面接触部２２を容易に形成することができる。
【００４１】
また、本実施形態の壁下地接触部２３は、壁下地３に面接触している。すなわち、壁下地接触部２３と壁下地３との接触面積が大きいため、壁板６から支持部２１又は裏面接触部２２を介して壁板支持具２に加わった力が、壁下地３でしっかりと受けられるようになり、壁板支持具２はこの点でも変形し難い。
【００４２】
なお、上記実施形態の壁板支持具２及び壁構造１は、適宜設計変更可能である。例えば、壁板支持具２の形状は、上記実施形態の形状に限られない。例えば、裏面接触部２２は、壁板６の裏面に線接触するものに限られず、例えば、面接触するものであってもよい。また、壁下地接触部２３は、壁下地３に面接触するものに限られず、例えば、線接触するものであってもよい。また、支持部２１は、壁板６を下方から支持するものであればよい。例えば、複数の係止片部２９は、壁板６の表面に沿って配置されるものであってもよい。また、支持部２１は、係止片部２９を一つだけ有してもよいし、係止片部２９を有さなくてもよい。また、壁板支持具２は、支持部２１によって、左右方向に並んだ複数の壁板を下方から支持するものであってもよいし、左右方向に並ぶ複数の壁板支持具２によって、一つの壁板６を下方から支持するものであってもよい。また、壁板支持具２の材質は、上記実施形態のものに限られない。例えば、壁板支持具２は、樹脂製であってもよい。
【００４３】
また、壁板６の形状は、上記実施形態の形状に限られない。例えば、壁板６は、下端部に他の壁板の上端部と嵌合する実部を有してもよい。また、壁板６の材質は、上記実施形態のものに限られない。例えば、壁板６は、金属、木材等から形成されてもよい。
【００４４】
また、壁板支持具２は、壁面において最も下方に位置する壁板６を支持するものに限られず、例えば、窓枠の直上に位置する壁板を支持するものであってもよい。
【００４５】
また、壁構造１を有する壁は、左右方向に複数並んだ一列の壁板だけで構成されてもよいし、一枚の壁板６のみで構成されてもよい。
【００４６】
また、本実施形態の壁構造は、壁板支持具２と見切り材４との間にシーリングが設けられない壁構造であるが、本開示の技術は、このシーリングが設けられる壁構造にも適用可能である。また、本発明は、ベランダ、建物において部分的に張り出した部分等の他のオーバーハング部にも適用可能である。また、本発明は、オーバーハング部だけでなく、建物におけるオーバーハング部以外の外壁にも適用可能である。また、本発明は、建物における内壁にも適用可能である。すなわち、壁板支持具２によって支持される壁板６は、建物の外壁材に限られず、建物の内壁材であってもよい。
【００４７】
以上説明した、実施形態から明らかなように、第１の態様の壁板支持具（２）は、以下に示す構成を有する。壁板支持具（２）は、固定部（２０）と支持部（２１）とを備えている。固定部（２０）は、壁下地（３）に固定される。支持部（２１）は、固定部（２０）の下方に設けられ、壁板（６）を下方から支持する。壁板支持具（２）は、固定部（２０）と支持部（２１）との間に、裏面接触部（２２）と壁下地接触部（２３）とを備えている。裏面接触部（２２）は、固定部（２０）よりも下方に設けられ、壁板（６）の裏面に接する。壁下地接触部（２３）は、裏面接触部（２２）よりも下方に設けられ、壁下地（３）に接する。
【００４８】
この態様によれば、壁下地接触部（２３）が固定部（２０）及び裏面接触部（２２）よりも下方において壁下地（３）に接するため、風が吹く等して壁板（６）に力が加わっても、壁板支持具（２）が変形し難い。
【００４９】
第２の態様の壁板支持具（２）は、第１の態様との組み合わせにより実現され得る。第２の態様の裏面接触部（２２）は、壁板（６）の裏面に線接触する。
【００５０】
この態様によれば、壁板支持具（２）における固定部（２０）から支持部（２１）までの上下方向における距離を短くすることができる。このため、壁板（６）から支持部（２１）に力が加わったときに壁板支持具（２）において発生する、壁下地（３）に固定された部分を中心とした力のモーメントを抑えることができ、壁板支持具（２）の変形を一層抑制できる。
【００５１】
第３の態様の壁板支持具（２）は、第１又は第２の態様との組み合わせにより実現され得る。第３の態様の裏面接触部（２２）は、壁下地接触部（２３）が壁下地（３）に面接触する。この態様によれば、壁板（６）から支持部（２１）を介して壁板支持具（２）に加わった力が、壁下地（３）でしっかりと受けられるようになり、壁板支持具（２）の変形を一層抑制できる。
【００５２】
また、上述した実施形態から明らかなように、第４の態様の壁構造（１）は、以下に示す構成を有する。壁構造（１）は、壁下地（３）、壁板支持具（２）及び壁板（６）を含んでいる。壁板支持具（２）は、第１〜第３のいずれか一つの態様の壁板支持具（２）である。固定部（２０）が壁下地（３）に固定される。支持部（２１）が壁板（６）を下方から支持する。裏面接触部（２２）が壁板（６）の裏面に接する。壁下地接触部（２３）が壁下地（３）に接する。
【００５３】
この態様によれば、壁下地接触部（２３）が固定部（２０）及び裏面接触部（２２）よりも下方において壁下地（３）に接するため、風が吹く等して壁板（６）に力が加わっても、壁板支持具（２）が変形し難い。
【符号の説明】
【００５４】
１  壁構造
２  壁板支持具
２０  固定部
２１  支持部
２２  裏面接触部
２３  壁下地接触部
３  壁下地
６  壁板
【図１】
2020117963.tif 000003
【図２】
2020117963.tif 000004
【図３】
2020117963.tif 000005
【図４】
2020117963.tif 000006
【図５】
2020117963.tif 000007